(57)【要約】【課題】端末装置の位置情報を取得できない場所で撮像された獲物画像であっても、獲物画像の撮像位置情報を対応付けて付与することができる情報処理装置、端末プログラムおよび情報処理システムを提供する。【解決手段】実施形態に係る情報処理装置は、獲物画像取得部と、位置情報取得部と、生成部と、対応付け部とを具備する。獲物画像取得部は、捕獲した動物を撮像した獲物画像を取得する。位置情報取得部は、端末装置の位置情報を取得する。生成部は、位置情報取得部によって取得された位置情報に基づいて、端末装置の移動軌跡を生成する。対応付け部は、獲物画像取得部によって取得された獲物画像に対し、移動軌跡に基づいて推定される獲物画像の撮像位置情報を対応付ける。【選択図】図２
2020119211.tif 000002
【特許請求の範囲】
【請求項１】
捕獲した動物を撮像した獲物画像を取得する獲物画像取得部と；
端末装置の位置情報を取得する位置情報取得部と；
前記位置情報取得部によって取得された前記位置情報に基づいて、前記端末装置の移動軌跡を生成する生成部と；
前記獲物画像取得部によって取得された前記獲物画像に対し、前記移動軌跡に基づいて推定される前記獲物画像の撮像位置情報を対応付ける対応付け部と；
を具備する情報処理装置。
【請求項２】
前記生成部によって生成された前記移動軌跡を前記端末装置の画面に表示させる表示制御部；
をさらに具備する請求項１に記載の情報処理装置。
【請求項３】
前記対応付け部は、
前記獲物画像が撮像されるときに前記位置情報取得部によって前記端末装置の位置情報が取得された場合、当該位置情報を前記撮像位置情報として前記獲物画像に対応付ける一方、前記獲物画像が撮像されるときに前記位置情報取得部によって前記端末装置の位置情報が取得されなかった場合、前記移動軌跡に基づいて推定される前記撮像位置情報を前記獲物画像に対応付ける
請求項１または２に記載の情報処理装置。
【請求項４】
前記獲物画像取得部は、
前記獲物画像が撮像された時間を示す撮像時間情報を前記獲物画像とともに取得し、
前記対応付け部は、
前記獲物画像取得部によって取得された前記撮像時間情報と、前記移動軌跡とに基づいて前記撮像位置情報を推定し、推定された前記撮像位置情報を前記獲物画像に対応付ける
請求項１〜３のいずれか１つに記載の情報処理装置。
【請求項５】
前記対応付け部によって前記獲物画像に対応付けられた前記撮像位置情報を、ユーザの操作に応じて修正する修正部；
をさらに具備する請求項１〜４のいずれか１つに記載の情報処理装置。
【請求項６】
前記対応付け部は、
前記撮像位置情報が推定された情報であるか否かを識別する識別情報を前記獲物画像に対応付ける
請求項１〜５のいずれか１つに記載の情報処理装置。
【請求項７】
捕獲した動物を撮像した獲物画像を取得する獲物画像取得手順と；
端末装置の位置情報を取得する位置情報取得手順と；
前記位置情報取得手順によって取得された前記位置情報に基づいて、前記端末装置の移動軌跡を生成する生成手順と；
前記獲物画像取得手順によって取得された前記獲物画像に対し、前記移動軌跡に基づいて推定される前記獲物画像の撮像位置情報を対応付ける対応付け手順と；
をコンピュータに実行させる端末プログラム。
【請求項８】
捕獲した動物を撮像した獲物画像を取得する獲物画像取得部と；
端末装置の位置情報を取得する位置情報取得部と；
前記位置情報取得部によって取得された前記位置情報に基づいて、前記端末装置の移動軌跡を生成する生成部と；
前記獲物画像取得部によって取得された前記獲物画像に対し、前記移動軌跡に基づいて推定される前記獲物画像の撮像位置情報を対応付ける対応付け部と；
前記対応付け部によって対応付けられた前記獲物画像と前記撮像位置情報とを記憶部に格納する格納部と；
を具備する情報処理システム。
【発明の詳細な説明】
【技術分野】
【０００１】
本発明の実施形態は、情報処理装置、端末プログラムおよび情報処理システムに関する。
【背景技術】
【０００２】
農作物に被害を及ぼすイノシシやシカ等の害獣を捕獲した場合、害獣を捕獲したことを示す証拠を自治体等へ提出することで報奨金を得る制度がある。従来、かかる証拠の提出方法として、例えば捕獲した動物を撮像した獲物画像を提出する方法がある。
【先行技術文献】
【特許文献】
【０００３】
【特許文献１】特開２０１７−１４６７７８号公報
【発明の概要】
【発明が解決しようとする課題】
【０００４】
ところで、上記した獲物画像には、獲物画像を撮像した位置を示す撮像位置情報が対応付けられて付与される。具体的には、例えば獲物画像が端末装置で撮像される場合、端末装置は、ＧＰＳ（Global  Positioning  System）などの測位システムを利用して端末装置の位置情報を取得し、取得された位置情報が撮像位置情報として獲物画像に付与される。
【０００５】
しかしながら、獲物画像を撮像する場所によっては、ＧＰＳの衛星からの信号を受信できずに位置情報を取得できない場合があり、かかる場合、獲物画像に撮像位置情報を付与することができないおそれがあった。
【０００６】
本発明が解決しようとする課題は、端末装置の位置情報を取得できない場所で撮像された獲物画像であっても、獲物画像の撮像位置情報を獲物画像に対応付けて付与することができる情報処理装置、端末プログラムおよび情報処理システムを提供することである。
【課題を解決するための手段】
【０００７】
実施形態に係る情報処理装置は、獲物画像取得部と、位置情報取得部と、生成部と、対応付け部とを具備する。獲物画像取得部は、捕獲した動物を撮像した獲物画像を取得する。位置情報取得部は、端末装置の位置情報を取得する。生成部は、前記位置情報取得部によって取得された前記位置情報に基づいて、前記端末装置の移動軌跡を生成する。対応付け部は、前記獲物画像取得部によって取得された前記獲物画像に対し、前記移動軌跡に基づいて推定される前記獲物画像の撮像位置情報を対応付ける。
【発明の効果】
【０００８】
本発明によれば、端末装置の位置情報を取得できない場所で撮像された獲物画像であっても、獲物画像の撮像位置情報を獲物画像に対応付けて付与することができる。
【図面の簡単な説明】
【０００９】
【図１】図１は、実施形態に係る情報処理システムの構成例を示す図である。
【図２】図２は、実施形態に係る端末装置の構成例を示すブロック図である。
【図３】図３は、実施形態に係る画像情報の一例を示す図である。
【図４Ａ】図４Ａは、実施形態に係る端末装置に表示される画面の一例を示す図である。
【図４Ｂ】図４Ｂは、実施形態に係る端末装置に表示される画面の一例を示す図である。
【図５】図５は、実施形態に係る端末装置に表示される画面の一例を示す図である。
【図６】図６は、実施形態に係るサーバの構成例を示すブロック図である。
【図７】図７は、実施形態に係る捕獲情報の一例を示す図である。
【図８】図８は、実施形態に係る端末装置の処理の手順を示すフローチャートである。
【発明を実施するための形態】
【００１０】
以下に説明する実施形態に係る端末装置（情報処理装置の一例）１０は、獲物画像取得部１６１と、位置情報取得部１６２と、生成部１６３と、対応付け部１６５とを具備する。獲物画像取得部１６１は、捕獲した動物を撮像した獲物画像を取得する。位置情報取得部１６２は、端末装置の位置情報を取得する。生成部１６３は、位置情報取得部１６２によって取得された位置情報に基づいて、端末装置１０の移動軌跡を生成する。対応付け部１６５は、獲物画像取得部１６１によって取得された獲物画像に対し、移動軌跡に基づいて推定される獲物画像の撮像位置情報を対応付ける。
【００１１】
また、以下に説明する実施形態に係る端末装置１０は、表示制御部１６４をさらに具備する。表示制御部１６４は、生成部１６３によって生成された移動軌跡を端末装置１０の画面に表示させる。
【００１２】
また、以下に説明する実施形態に係る対応付け部１６５は、獲物画像が撮像されるときに位置情報取得部１６２によって端末装置１０の位置情報が取得された場合、当該位置情報を撮像位置情報として獲物画像に対応付ける一方、獲物画像が撮像されるときに位置情報取得部１６２によって端末装置１０の位置情報が取得されなかった場合、移動軌跡に基づいて推定される撮像位置情報を前記獲物画像に対応付ける。
【００１３】
また、以下に説明する実施形態に係る獲物画像取得部１６１は、獲物画像が撮像された時間を示す撮像時間情報を獲物画像とともに取得し、対応付け部１６５は、獲物画像取得部１６１によって取得された撮像時間情報と、移動軌跡とに基づいて撮像位置情報を推定し、推定された撮像位置情報を獲物画像に対応付ける。
【００１４】
また、以下に説明する実施形態に係る端末装置１０は、修正部１６６をさらに具備する。修正部１６６は、対応付け部１６５によって獲物画像に対応付けられた撮像位置情報を、ユーザＵの操作に応じて修正する。
【００１５】
また、以下に説明する実施形態に係る対応付け部１６５は、撮像位置情報が推定された情報であるか否かを識別する識別情報を獲物画像に対応付ける。
【００１６】
以下、図面を参照して、実施形態に係る情報処理装置、端末プログラムおよび情報処理システムについて説明する。実施形態において同一の部位には同一の符号を付し、重複する説明は省略される場合がある。
【００１７】
なお、以下では、端末装置が情報処理装置の一例である場合について説明するが、これに限定されるものではない。すなわち、例えば後述するサーバが情報処理装置として機能してもよい。
【００１８】
［情報処理システムの構成例］
まず、端末プログラムを実行する端末装置を含む情報処理システムの構成を説明する。図１は、実施形態に係る情報処理システムの構成例を示す図である。情報処理システム１は、例えば、猟師等のユーザＵによって捕獲された動物３０の捕獲状況などを管理するためのシステムである。
【００１９】
図１に示すように情報処理システム１は、端末装置１０と、サーバ２０とを有する。また、端末装置１０およびサーバ２０は、ネットワーク２を介して通信可能に接続されている。なお、ネットワーク２は、例えばインターネットなどである。
【００２０】
例えば、端末装置１０は、スマートフォン、タブレットおよびデジタルカメラ等の携帯型の端末装置であり、ユーザＵによって利用される。端末装置１０は、カメラ機能等を用いて、捕獲した動物３０の画像（以下「獲物画像」という）を撮像することができる。また、端末装置１０は、ＧＰＳなどの測位システムを利用して端末装置１０の位置情報を取得することができる。また、端末装置１０は、獲物画像を含む画像情報１５１をサーバ２０へ送信することができる。
【００２１】
なお、端末装置１０には、例えば所定のアプリケーション（端末プログラムの一例）がインストールされ、かかるアプリケーションの起動によって上記した獲物画像の撮像や位置情報の取得、画像情報１５１の送信などの各種処理が実行されてもよい。
【００２２】
サーバ２０は、端末装置１０から送信された画像情報１５１を記憶部に格納し、動物３０の捕獲状況などを管理するが、これについては後述する。
【００２３】
ところで、端末装置１０は、獲物画像に対し、獲物画像を撮像した位置を示す撮像位置情報を対応付けて付与して画像情報１５１を生成する。例えば、端末装置１０は、獲物画像を撮像したときに端末装置１０の位置情報を取得し、かかる位置情報を撮像位置情報として獲物画像に対応付けるようにする。
【００２４】
しかしながら、動物３０の捕獲は、例えば山奥や山間部などで行われることがあるため、獲物画像を撮像する場所によっては、ＧＰＳの衛星からの信号を受信できずに位置情報を取得できない場合がある。
【００２５】
そこで、本実施形態に係る端末装置１０にあっては、位置情報を取得できない場所で撮像された獲物画像であっても、獲物画像の撮像位置情報を対応付けて付与することができるような構成とした。以下、その構成について詳しく説明する。
【００２６】
図２は、実施形態に係る端末装置１０の構成例を示すブロック図である。図２に示すように、端末装置１０は、撮像部１１、通信部１２、ＧＰＳ受信部１３、入出力部１４、記憶部１５および制御部１６を有する。
【００２７】
撮像部１１は、ユーザＵが捕獲した動物３０の画像、すなわち獲物画像を撮像する。撮像部１１は、例えばカメラである。撮像部１１が撮像する画像は静止画であるが、これに限られず、例えば動画であってもよい。
【００２８】
通信部１２は、無線通信処理や有線通信処理を行うためのネットワークデバイスである。例えば、通信部１２は、ネットワーク２を介してサーバ２０との間で各種情報を送受信する。
【００２９】
ＧＰＳ受信部１３は、ＧＰＳの衛星から送出される信号（電波）を受信し、受信した信号を制御部１６へ出力する。
【００３０】
入出力部１４は、ユーザＵからの入力を受け付けたり、ユーザＵに対して各種情報を画面に表示して出力したりする装置である。例えば、入出力部１４は、タッチパネルディスプレイである。
【００３１】
記憶部１５は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１５は、端末装置１０で実行される各処理で利用されるデータを記憶する。
【００３２】
また、記憶部１５は、上記した画像情報１５１を記憶する。図３は、実施形態に係る画像情報１５１の一例を示す図である。
【００３３】
図３に示すように、画像情報１５１には、獲物画像１５１ａと、付与情報１５１ｂとが含まれる。獲物画像１５１ａは、後述する獲物画像取得部１６１によって取得された獲物画像である。
【００３４】
付与情報１５１ｂは、獲物画像１５１ａに対応付けて付与された情報である。例えば、付与情報１５１ｂには、撮像時間情報、撮像位置情報、識別情報など種々の情報が含まれる。撮像時間情報は、獲物画像が撮像された時間を示す情報であり、撮像位置情報は、獲物画像が撮像された位置を示す情報である。なお、識別情報については、後述する。
【００３５】
図２の説明に戻ると、制御部１６は、例えば、各種の処理手順等を規定したプログラム及び所要データを格納するための内部メモリやＣＰＵ（Central  Processing  Unit）を有し、これらによって種々の処理を実行するマイクロコンピュータを含む。制御部１６は、獲物画像取得部１６１、位置情報取得部１６２、生成部１６３、表示制御部１６４、対応付け部１６５、修正部１６６および送信部１６７を有する。
【００３６】
獲物画像取得部１６１は、撮像部１１によって撮像された獲物画像を取得する。そして、獲物画像取得部１６１は、取得された獲物画像を記憶部１５に記憶させる（図３参照）。また、獲物画像取得部１６１は、例えば端末装置１０に内蔵された時計から、獲物画像が撮像された時間を示す撮像時間情報を獲物画像とともに取得してもよい。そして、獲物画像取得部１６１は、取得された撮像時間情報を獲物画像に対応付けて付与し、記憶部１５に記憶させる（図３参照）。
【００３７】
位置情報取得部１６２は、端末装置１０の現在地の位置情報を取得する。例えば、位置情報取得部１６２は、ＧＰＳ受信部１３から出力された信号に基づいて現在地の位置情報（例えば緯度経度）を取得する。
【００３８】
また、位置情報取得部１６２は、端末装置１０の位置情報を定期的に取得する。例えば、位置情報取得部１６２は、ユーザＵが狩猟を開始した地点から終了した地点に至るまで定期的に、言い換えると所定時間ごとに端末装置１０の位置情報を取得する。そして、位置情報取得部１６２は、定期的に取得された位置情報を生成部１６３へ出力する。
【００３９】
なお、上記した所定時間は、任意の時間に設定可能であるが、例えば端末装置１０のバッテリ消費に過度な影響を与えない時間や、後述する端末装置１０の移動軌跡を生成できるような時間に設定されてもよい。また、位置情報取得部１６２は、端末装置１０の位置情報を不定期に取得するようにしてもよい。
【００４０】
また、位置情報取得部１６２は、獲物画像が撮像部１１によって撮像されたときに、端末装置１０の位置情報を取得する。そして、位置情報取得部１６２は、獲物画像が撮像されたときに取得された位置情報を対応付け部１６５へ出力する。但し、獲物画像を撮像する場所によっては、端末装置１０の位置情報を取得できない場合があることは既に述べた通りである。
【００４１】
生成部１６３は、位置情報取得部１６２によって取得された端末装置１０の位置情報に基づいて、端末装置１０の移動軌跡を生成する。例えば、生成部１６３は、位置情報取得部１６２によって定期的に取得された位置情報を、地図データ上にプロットして時系列に沿ってつなげることで、端末装置１０の移動軌跡を生成する。なお、上記した地図データは、記憶部１５に予め記憶されてもよいし、図示しない外部のサーバなどから取得してもよい。
【００４２】
また、上記したように、ユーザＵが狩猟を開始した地点から終了した地点に至るまで定期的に端末装置１０の位置情報が取得されることから、生成部１６３は、狩猟の開始から終了までの端末装置１０の移動軌跡、言い換えると、端末装置１０を利用するユーザＵの移動軌跡を生成することができる。
【００４３】
表示制御部１６４は、生成部１６３によって生成された移動軌跡を、端末装置１０の入出力部１４の画面に表示させる。これについては図４Ａ等を参照して後述する。
【００４４】
対応付け部１６５は、獲物画像取得部１６１によって取得された獲物画像に対し、獲物画像の撮像位置情報を対応付ける。具体的には、対応付け部１６５は、獲物画像が撮像されるときに端末装置１０の位置情報が取得されたか否かによって実行する処理が異なる。
【００４５】
例えば、対応付け部１６５は、獲物画像が撮像されるときに位置情報取得部１６２によって端末装置１０の位置情報が取得された場合、かかる位置情報を撮像位置情報として獲物画像に対応付ける。詳しくは、対応付け部１６５は、撮像時の端末装置１０の位置情報を撮像位置情報として、記憶部１５に記憶された獲物画像に対応付けて付与する。
【００４６】
一方、対応付け部１６５は、獲物画像が撮像されるときに位置情報取得部１６２によって端末装置１０の位置情報が取得されなかった場合、上記した移動軌跡に基づいて推定される獲物画像の撮像位置情報を獲物画像に対応付ける。なお、撮像位置情報の推定は、ユーザＵによって行われてもよいし、対応付け部１６５によって行われてもよいが、以下では先ずユーザＵによって行われる場合について説明する。
【００４７】
ここで、図４Ａ，４Ｂを用いて、前述の生成部１６３、表示制御部１６４および対応付け部１６５による処理について説明する。図４Ａ，４Ｂは、実施形態に係る端末装置１０の入出力部１４に表示される画面の一例を示す図である。
【００４８】
図４Ａに示すように、対応付け部１６５は、獲物画像の撮像時に端末装置１０の位置情報が取得されなかった場合、生成部１６３や表示制御部１６４を介して、撮像位置情報入力画面を端末装置１０に表示させる。
【００４９】
例えば、生成部１６３は、ユーザＵが狩猟を開始した地点Ａから終了した地点Ｂに至るまでの端末装置１０の移動軌跡Ｃを生成する。そして、表示制御部１６４は、生成された移動軌跡を端末装置１０の入出力部１４の画面（ここでは撮像位置情報入力画面）に表示させる。
【００５０】
なお、表示制御部１６４は、例えば、入出力部１４の画面に「獲物を撮像した位置をタッチ入力してください」など、ユーザＵに対し、撮像した位置を移動軌跡Ｃに基づいて推定して入力することを促すメッセージを表示させてもよい。また、表示制御部１６４は、例えば獲物画像を画面に表示させてもよい。
【００５１】
このように、本実施形態にあっては、生成された移動軌跡を端末装置１０の画面に表示させるようにしたことから、例えばユーザＵは、移動軌跡を見ながら容易に獲物画像の撮像位置を推定することが可能となる。
【００５２】
そして、表示制御部１６４は、例えばユーザＵによって移動軌跡Ｃの一部がタッチ操作されるなどして、推定された撮像位置情報が入出力部１４を介して入力されると、図４Ｂに示すように、タッチ操作された位置を撮像位置Ｄとして表示させることができる。これにより、撮像位置情報の入力を受け付けたことをユーザＵに対して通知することができる。
【００５３】
図２の説明に戻ると、対応付け部１６５は、上記のようにしてユーザＵによって推定される撮像位置情報を、獲物画像に対応付ける。詳しくは、対応付け部１６５は、推定される撮像位置情報を、記憶部１５に記憶された獲物画像に対応付けて付与する（図３参照）。
【００５４】
このように、本実施形態にあっては、端末装置１０の移動軌跡を生成し、移動軌跡に基づいて推定される獲物画像の撮像位置情報を獲物画像に対応付けるようにした。これにより、端末装置１０の位置情報を取得できない場所で撮像された獲物画像であっても、獲物画像の撮像位置情報を対応付けて付与することができる。
【００５５】
また、上記したように、対応付け部１６５は、撮像時に端末装置１０の位置情報が取得された場合、かかる位置情報を撮像位置情報として獲物画像に対応付ける一方、端末装置１０の位置情報が取得されなかった場合、推定される撮像位置情報を獲物画像に対応付けるようにした。これにより、撮像時に端末装置１０の位置情報が取得されたか否かにかかわらず、撮像位置情報を獲物画像に対応付けて付与することが可能になる。
【００５６】
なお、上記では、移動軌跡に基づいて推定される撮像位置情報を獲物画像に対応付ける処理を、撮像時に端末装置１０の位置情報が取得されなかった場合に行うようにしたが、これに限られず、例えば撮像時に端末装置１０の位置情報が取得された場合にも行うようにしてもよい。
【００５７】
また、上記では、ユーザＵによって行われていた撮像位置情報の推定を、対応付け部１６５が行うようにしてもよい。例えば、対応付け部１６５は、獲物画像取得部１６１によって取得された撮像時間情報と、移動軌跡とに基づいて撮像位置情報を推定してもよい。
【００５８】
具体的には、対応付け部１６５は、例えば定期的に取得され、移動軌跡上にある複数の端末装置１０の位置情報のうち、獲物画像の撮像時間に最も近い時間に取得された位置情報を、撮像位置情報として推定することができる。
【００５９】
また、上記に限られず、例えば、対応付け部１６５は、移動軌跡上にある複数の端末装置１０の位置情報のうち、撮像時間の前後に取得された２つの位置情報を抽出し、抽出された２つの位置情報の間の位置（例えば移動軌跡上の中間点）を撮像位置情報として推定してもよい。
【００６０】
また、例えば、対応付け部１６５は、抽出された２つの位置情報と、２つの位置情報が取得された取得時間の情報とに基づいて、端末装置１０の移動速度を算出し、移動速度と撮像時間とから得られる、２つの位置情報の間の位置を、撮像位置情報として推定してもよい。なお、上記した撮像時間情報と移動軌跡とに基づいた撮像位置情報の推定手法は、あくまでも例示であって限定されるものではない。
【００６１】
そして、対応付け部１６５は、撮像時間情報と移動軌跡とに基づいて推定された撮像位置情報を獲物画像に対応付ける。このように、撮像位置情報の推定を端末装置１０側で行うようにすることで、ユーザＵによる撮像位置情報の入力操作を不要にすることが可能となり、よってユーザＵが獲物画像等を提出する際の作業負担を軽減することができる。
【００６２】
また、対応付け部１６５は、撮像位置情報が推定された情報であるか否かを識別する識別情報（図３参照）を獲物画像に対応付けるようにしてもよい。これにより、獲物画像に対し、撮像位置情報の精度に関する情報を関連付けることが可能になる。
【００６３】
詳しく説明すると、獲物画像に対応付けられる撮像位置情報には、推定された情報の場合と、推定された情報ではない場合、すなわちＧＰＳから直接取得された端末装置１０の位置情報である場合とがある。ここで、撮像位置情報の精度（言い換えると正確性）の点では、ＧＰＳから直接取得された位置情報の方が、推定された情報より高いことが多い。このように、識別情報は、撮像位置情報の精度の指標として機能する。
【００６４】
従って、対応付け部１６５が識別情報を獲物画像に対応付けることで、獲物画像に対し、撮像位置情報の精度に関する情報を関連付けることが可能になる。そして、例えば、獲物画像や識別情報を含む画像情報１５１が、報奨金の申請の際に証拠として提出される場合、上記した識別情報を、報奨金の支給を許可するか否かの判定材料の一つとして利用することも可能になる。
【００６５】
図２の説明を続ける。修正部１６６は、対応付け部１６５によって獲物画像に対応付けられた撮像位置情報を、ユーザＵの操作に応じて修正することができる。
【００６６】
具体的に説明すると、例えば、上記のように対応付け部１６５によって推定された撮像位置情報は、端末装置１０の位置情報の取得状況などによっては、ユーザＵが認識している撮像位置に対してずれが生じる場合がある。
【００６７】
そこで、本実施形態にあっては、対応付け部１６５によって推定された撮像位置情報をユーザＵが確認できようにし、撮像位置情報がユーザＵの認識している撮像位置とずれている場合、撮像位置情報を修正できるようにした。
【００６８】
図５は、実施形態に係る端末装置１０の入出力部１４に表示される画面の一例を示す図である。図５に示すように、表示制御部１６４は、撮像位置情報確認画面を端末装置１０に表示させる。
【００６９】
例えば、撮像位置情報確認画面には、対応付け部１６５によって推定された撮像位置情報（撮像位置Ｄ）や移動軌跡Ｃなどが表示されるとともに、撮像位置情報を確定する確定ボタン１４ａ、および、撮像位置情報を修正する修正ボタン１４ｂが表示される。
【００７０】
撮像位置情報等がユーザＵによって確認され、確定ボタン１４ａが押下されると、獲物画像に対応付けられた撮像位置情報が確定する。
【００７１】
他方、修正ボタン１４ｂが押下されると、例えば、修正部１６６は、表示制御部１６４を介して、撮像位置情報入力画面（図４Ａ参照）を端末装置１０に表示させる。そして、例えば、修正部１６６は、獲物画像に対応付けられていた撮像位置情報を、撮像位置情報入力画面の移動軌跡Ｃ上で、ユーザＵによってタッチ操作された位置に修正する。
【００７２】
これにより、本実施形態にあっては、例えば、対応付け部１６５によって推定された撮像位置情報を、ユーザＵの操作に応じて、ユーザＵの認識している撮像位置に修正（編集）することができ、結果として撮像位置情報の精度を向上させることができる。
【００７３】
送信部１６７は、上記した獲物画像や撮像位置情報を含む画像情報１５１を読み出し、画像情報１５１をサーバ２０へ送信する。
【００７４】
図６は、実施形態に係るサーバ２０の構成例を示すブロック図である。サーバ２０は、単体の処理装置である必要はなく、クラウドシステム等の複数の処理装置が協調して動作することで実現されてもよい。図６に示すように、サーバ２０は、通信部２１、記憶部２２および制御部２３を有する。
【００７５】
通信部２１は、無線通信処理や有線通信処理を行うためのネットワークデバイスである。例えば、通信部２１は、ネットワーク２を介して端末装置１０との間で各種情報を送受信する。
【００７６】
記憶部２２は、例えば、ＲＡＭ、フラッシュメモリ等の半導体メモリ素子、または、ハードディスク、光ディスク等の記憶装置によって実現される。実施形態に係る記憶部２２は、サーバ２０で実行される各処理で利用されるデータを記憶する。記憶部２２は、捕獲情報２２１を記憶する。
【００７７】
捕獲情報２２１は、端末装置１０によって送信された画像情報１５１に、ユーザＵを識別するユーザＩＤを対応付けた情報である。なお、ユーザＩＤは、画像情報１５１とともに送信されるものであってもよい。
【００７８】
図７は、実施形態に係る捕獲情報２２１の一例を示す図である。図７に示すように、捕獲情報２２１には、ユーザＩＤ、獲物画像、撮像時間情報、撮像位置情報および識別情報が含まれる。
【００７９】
例えば、図７の捕獲情報２２１の１行目は、ユーザ「Ｕ００１」が獲物画像を、時間「2019/1/20  15:10」に、位置「34°26'27.0"N  167°39'10.1"E」で撮像したことを示し、かかる撮像位置情報は推定された情報であることを示している。
【００８０】
図６の説明に戻ると、制御部２３は、各種の処理手順等を規定したプログラム及び所要データを格納するための内部メモリやＣＰＵを有し、これらによって種々の処理を実行するマイクロコンピュータを含む。制御部２３は、受信部２３１、認証部２３２、格納部２３３及び送信部２３４を有する。
【００８１】
受信部２３１は、端末装置１０によって送信された画像情報１５１を受信する。また、認証部２３２はユーザＵを認証する。例えば、認証部２３２はユーザＩＤおよびパスワードを使って認証を行う。また、ユーザＩＤおよびパスワードは、画像情報１５１とともに送信されるものであってもよい。
【００８２】
格納部２３３は、受信部２３１によって受信された画像情報１５１を記憶部２２に捕獲情報２２１として格納する。詳しくは、格納部２３３は、端末装置１０の対応付け部１６５によって対応付けられた獲物画像と撮像位置情報とを含む画像情報１５１の全部または一部を、記憶部２２に捕獲情報２２１として格納する。
【００８３】
送信部２３４は、例えば、認証済みのユーザＵの要求に応じて、捕獲情報２２１を送信する。また、送信部２３４は、図示しない自治体の端末装置からの要求に応じて、捕獲情報２２１を送信してもよい。
【００８４】
［処理手順］
次に、図８を用いて、端末装置１０の処理の流れについて説明する。図８は、実施形態に係る端末装置１０の獲物画像に撮像位置情報を対応付ける処理の手順を示すフローチャートである。
【００８５】
図８に示すように、端末装置１０は、例えば所定のアプリケーションの起動により、端末装置１０の位置情報を定期的に取得する（ステップＳ１０１）。次いで、端末装置１０は、取得された位置情報に基づいて、端末装置１０の移動軌跡を生成する（ステップＳ１０２）。
【００８６】
次いで、端末装置１０は、撮像部１１によって撮像された獲物画像を取得する（ステップＳ１０３）。そして、端末装置１０は、獲物画像が撮像されるときに、端末装置１０の位置情報が取得されたか否かを判定する（ステップＳ１０４）。
【００８７】
端末装置１０は、獲物画像が撮像されるときに端末装置１０の位置情報が取得されていないと判定された場合（ステップＳ１０４，Ｎｏ）、移動軌跡に基づいて撮像位置情報の推定がなされる（ステップＳ１０５）。次いで、端末装置１０は、移動軌跡に基づいて推定される撮像位置情報を獲物画像に対応付ける（ステップＳ１０６）。
【００８８】
一方、端末装置１０は、獲物画像が撮像されるときに端末装置１０の位置情報が取得されていると判定された場合（ステップＳ１０４，Ｙｅｓ）、かかる位置情報を撮像位置情報として獲物画像に対応付ける（ステップＳ１０７）。
【００８９】
このように、実施形態に係る端末装置（情報処理装置の一例）１０は、獲物画像取得部１６１と、位置情報取得部１６２と、生成部１６３と、対応付け部１６５とを具備する。獲物画像取得部１６１は、捕獲した動物を撮像した獲物画像を取得する。位置情報取得部１６２は、端末装置の位置情報を取得する。生成部１６３は、位置情報取得部１６２によって取得された位置情報に基づいて、端末装置１０の移動軌跡を生成する。対応付け部１６５は、獲物画像取得部１６１によって取得された獲物画像に対し、移動軌跡に基づいて推定される獲物画像の撮像位置情報を対応付ける。これにより、端末装置１０の位置情報を取得できない場所で撮像された獲物画像であっても、獲物画像の撮像位置情報を獲物画像に対応付けて付与することができる。
【００９０】
なお、上記した実施形態では、端末装置１０が情報処理装置の一例である場合について説明したが、サーバ２０が情報処理装置として機能してもよい。すなわち、例えば、サーバ２０は、捕獲した動物を撮像した獲物画像を端末装置１０から取得する。また、サーバ２０は、端末装置１０の位置情報を端末装置１０から取得する。サーバ２０は、端末装置１０から取得された位置情報に基づいて、端末装置１０の移動軌跡を生成する。そして、サーバ２０は、端末装置１０から取得された獲物画像に対し、移動軌跡に基づいて推定される獲物画像の撮像位置情報を対応付けるようにしてもよい。
【００９１】
また、上記では、修正部１６６による撮像位置情報の修正は、ユーザＵの操作に応じて行われるようしたが、例えば、修正可能なユーザが限定されるようにしてもよい。すなわち、撮像位置情報を修正可能なユーザが、例えば端末装置１０によって獲物画像を撮像したユーザ、獲物画像を撮像したか否かにかかわらず端末装置１０を操作するユーザ、サーバ２０を管理するユーザ（オペレータ）などに予め設定されるようにしてもよい。
【００９２】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００９３】
１  情報処理システム
１０  端末装置
２０  サーバ
１６１  獲物画像取得部
１６２  位置情報取得部
１６３  生成部
１６４  表示制御部
１６５  対応付け部
１６６  修正部
２３３  格納部
【図１】
2020119211.tif 000003
【図２】
2020119211.tif 000004
【図３】
2020119211.tif 000005
【図４Ａ】
2020119211.tif 000006
【図４Ｂ】
2020119211.tif 000007
【図５】
2020119211.tif 000008
【図６】
2020119211.tif 000009
【図７】
2020119211.tif 000010
【図８】
2020119211.tif 000011